(57)【要約】  【課題】  簡素な構成で、デジタルカメラ等に対する組み付けを容易にし、且つ、コスト的にも有利な多段切換えができるスイッチを得る。  【解決手段】  本発明は絶縁状のベース２と、該ベース２内を前後に摺動自在に配設されたスライダー４と、該スライダー４の押し込み操作によって作動する第１のスイッチＳＷ１と、更に、該スライダー４を押し込むことによって作動する第２のスイッチＳＷ２と、該スライダー４を元の基準位置に復元させるための弾性部材と、前記各構成部材を被蔽して該ベース２に固定されるカバー３とから成る多段切換えプッシュスイッチを提供する。【選択図】図１
2005222783.tif 000002
【特許請求の範囲】
【請求項１】
絶縁性のベースと、該ベース内を前後に摺動自在に配設されたスライダーと、該スライダーの摺動方向に押し込み操作によって作動する第１のスイッチと、更に、該スライダーを押し込むことによって作動する第２のスイッチと、該スライダーを元の基準位置に復元させるための弾性部材と、前記各構成部材を被蔽して該ベースに固定されるカバーとから成ることを特徴とする多段切換えプッシュスイッチ。
【請求項２】
上記スライダーには下方へ斜設され、且つ、該斜設部の先端部は該スライダーの２段目の押し込み動作によって前記カバーの裏面下方に斜設されて成る案内片に沿って下降し、前記第２のスイッチを閉じるように構成されたことを特徴とする請求項１記載の多段切換えプッシュスイッチ。
【請求項３】
上記第２のスイッチはその固定接点の上面に金属板から成るドーム状のクリックバネが配設されていることを特徴とする請求項１又は２記載の多段切換えプッシュスイッチ。
【請求項４】
上記スライダーの下面には上記第１のスイッチを閉じるための可動接片が設けられていることを特徴とする請求項１、２又は３記載の多段切換えプッシュスイッチ。
【請求項５】
上記弾性部材はコイルスプリングから成り、該コイルスプリングの弾性復元力によって前記スライダーを当初の基準位置に付勢していることを特徴とする請求項１、２、３又は４記載の多段切換えプッシュスイッチ。
【発明の詳細な説明】
【技術分野】
【０００１】
この発明はデジタルカメラ等に使用して好適な多段切換えプッシュスイッチに関するものであり、特に、回路基板面に対して水平方向の操作を可能にした２段切換えプッシュスイッチに関するものである。
【背景技術】
【０００２】
デジタルカメラ等に用いられる２段式押しボタンスイッチが、特許文献１に開示されている。而して、この特許文献１に開示されている２段式押しボタンスイッチは、ケース内の上下に固定接点を配設し、そして、上方の固定接点上にドーム状のクリックバネを反転復元自在に設け、該クリックバネ上にクッション材を載置すると共に、該クッション材上面を押圧解除自在に形成されたキートップを前記ケース上面の開口部に上下動自在に配設し、前記上方の固定接点下面に平板を配装すると共に、該平板をクッション材を介して下方の固定接点上面に配設されたクリックバネ上面に載設されている。そして、下方のクリックバネ圧を上方のクリックバネ圧より大に形成することにより、上下２段式に各固定接点を閉じることができるように構成されている。
【特許文献１】特開２００１−２２９７７４号公報
【発明の開示】
【発明が解決しようとする課題】
【０００３】
上記特許文献１記載の２段式押しボタンスイッチはキートップの上下方向押圧解除操作によって上下２段の各固定接点が２段式に開閉できるように構成されているので、この２段式押しボタンスイッチを、例えばデジタルカメラ機能を有する小型電子機器に取付けるには基板面に対して垂直方向の操作となり、依って、上面にシャッターが配置されたデザインのセットに於いてはメイン基板に対し、垂直方向にサブ基板、或いはＦＰＣを組込み、このサブ基板に前記２段式押しボタンスイッチを取り付けることが必要であった。然るときは、該２段式押しボタンスイッチの組付けに際して前記サブ基板或いはＦＰＣの配設に伴う空間を必要とし、従って、それだけ大型化されると共に、部品点数も多くなってコスト高の要因となる。
【０００４】
そこで、簡素な構成でデジタルカメラ等に対する組み付けも容易であり、且つ、コスト的にも有利な２段切換えができるスイッチを得るために解決せられるべき技術的課題が生じてくるのであり、本発明は該課題を解決することを目的とする。
【課題を解決するための手段】
【０００５】
本発明は上記目的を達成するために提案されたものであり、請求項１記載の発明は絶縁性のベースと、該ベース内を前後に摺動自在に配設されたスライダーと、該スライダーの押し込み操作によって作動する第１のスイッチと、更に、該スライダーを押し込むことによって作動する第２のスイッチと、該スライダーを元の基準位置に復元させるための弾性部材と、前記各構成部材を被蔽して該ベースに固定されるカバーとから成る多段切換えプッシュスイッチを提供する。
【０００６】
この構成によれば、カバーにて被蔽されているベース内に摺動自在に配設されているスライダーを基準位置から押し込めば、第１段階として第１のスイッチが閉じて該第１のスイッチが作動する。更に、該スライダーを押し込めば、第２段階として第２のスイッチが閉じて該第２のスイッチも作動する。而も、該スライダーの押し込み動作に基づいて弾性部材が圧縮されるが、該スライダーの押し込み動作を解除すれば、該弾性部材の弾性復元力にて前記スライダーは元の基準位置に復帰する。
【０００７】
請求項２記載の発明は上記スライダーには下方へ斜設され、且つ、該斜設部の先端部は該スライダーの２段目の押し込み動作によって前記カバーの裏面下方に斜設されて成る案内片に沿って下降し、前記第２のスイッチを閉じるように構成された請求項１記載の多段切換えプッシュスイッチを提供する。
【０００８】
この構成によれば、上記スライダーの第１段階の押し込み動作の次に第２の押し込み動作をするとき、該スライダーの斜設部がカバーの裏面下方に斜設されて成る案内片にガイドされて下降し、そして、第２のスイッチを閉じて作動させる。
【０００９】
請求項３記載の発明は、上記第２のスイッチはその固定接点の上面に金属板から成るドーム状のクリックバネが配設されている請求項１又は２記載の多段切換えプッシュスイッチを提供する。
【００１０】
この構成によれば、第２のスイッチの固定接点上面に配設されたクリックバネの反転復元作用により、該第２のスイッチの開閉動作を実行させる。
【００１１】
請求項４記載の発明は上記スライダーの下面には上記第１のスイッチを閉じるための可動接片が設けられている請求項１、２又は３記載の多段切換えプッシュスイッチを提供する。
【００１２】
この構成によれば、スライダーの下面に設けられている可動接片は、スライダーを基準位置から押し込めば、第１段階としての第１のスイッチの固定接片点及び共通端子片に接触して第１のスイッチを閉じ、そして、該第１のスイッチに基づく動作が実行される。
【００１３】
請求項５記載の発明は上記弾性部材はコイルスプリングから成り、該コイルスプリングの弾性復元力によって前記スライダーを当初の基準位置に付勢している請求項１、２、３又は４記載の多段切換えプッシュスイッチを提供する。
【００１４】
この構成によれば、弾性部材をコイルスプリングにて形成したので、スライダーの押し込み動作によって圧縮方向に圧縮され、そして、該スライダーの押圧力を解除したとき、該コイルスプリングはその弾性復元力にてスライダーを元の基準位置に復元させ、そして、該スライダーを常時該基準値に維持すべく付勢している。
【発明の効果】
【００１５】
本発明の請求項１記載の多段切換えプッシュスイッチはスライダーの第１段階の押し込み動作によって第１のスイッチが作動し、次いで、該スライダーの第２段階の押し込み動作によって第２のスイッチが作動する。斯くの如く、スイッチの２段切換えが可能となった本発明のプッシュスイッチは例えばデジカメ機能を有する小型電子機器に用いるときには、該小型電子機器のメイン基板に対してサブ基板或いはＦＰＣを用いることなく直接に装着することが可能となって組付け作業も簡便となり、且つ、部品点数も低減されてコストダウンにも寄与することになる。
【００１６】
請求項２記載の発明は、請求項１記載の発明の効果に加え、スライダーの第２段目の押し込み動作によって該スライダーに設けられている斜設部がカバーに斜設されている案内片に沿って下降し、そして、該スライダーの斜設部先端にて第２のスイッチの固定接点を正確に押圧して該第２のスイッチを作動させることができる。該スライダーの押し込み動作が解除されて該スライダーが元の基準位置に復帰する際も、該スライダーの前記斜設部がカバーの前記案内片に沿って円滑に上方へ摺動し、該スライダーを確実に元の基準位置に復帰させることができる。
【００１７】
請求項３記載の発明は、請求項１及び２記載の発明の効果に加え、上記第２のスイッチの固定接点上面に配設されているドーム状のクリックバネの反転及び復元力にて該第２のスイッチの開閉動作が極めて円滑、且つ、確実に実行されることができる。
【００１８】
請求項４記載の発明は、請求項１、２又は３記載の発明の効果に加え、スライダーの下面に配設されている可動接片は、該スライダーの第１段目の押し込み動作によって第１のスイッチの固定接片及び共通端子片に接触して該第１のスイッチの作動を確実に実行させることができる。
【００１９】
請求項５記載の発明は、請求項１、２、３又は４記載の発明の効果に加え、前記弾性部材はコイルスプリングにて形成されているので、前記スライダーの押し込み動作によって該コイルスプリングは収縮方向に圧縮されて復元力を保有し、そして、該押し込み動作を解除したいときには、該コイルスプリングの弾性復元力にて該スライダーは正確且つ容易に元の基準位置に復帰し、そして、該スライダーは常時、該コイルスプリングによって該基準位置を保持すべく付勢されている。
【発明を実施するための最良の形態】
【００２０】
スライダーの第１段目の押し込み動作によって第１のスイッチの作動を可能とし、そして、更に該スライダーの第２段目の押し込み動作によって第２のスイッチの作動を可能にした。このようにスライダーを例えば、デジカメ等のメイン基板面に対し、水平（横方向）に操作するようにしたことにより本発明の目的を達成することができた。
【実施例】
【００２１】
以下、本発明の一実施例を図１乃至図９に従って説明する。図に於いて、１は本発明の２段切換えプッシュスイッチを示す。該２段切換えプッシュスイッチ１は主としてベース２と、カバー３と、スライダー４とから成る。
【００２２】
前記２段切換えプッシュスイッチ１はスライダー４の押し込み操作によって次の２段階のスイッチング動作を実行することができる。
【００２３】
（１）スライダー４の第１段目の押し込み動作によって第１のスイッチＳＷ１が閉じて該第１のスイッチＳＷ１が作動する。
（２）更に、該スライダー４を押し込めば第２段目の押し込み動作となり、そして、この動作により、第２のスイッチＳＷ２が閉じて該第２のスイッチＳＷ２の作動が実行される。
【００２４】
即ち、該スライダー４はデジカメ機能を有する小型電子機器（図示せず）のメイン基板面に対して水平（横方向）に操作されることができるので、本発明の２段切換えプッシュスイッチ１は前記小型電子機器に対してサブ基板又はＦＰＣの別部材の組み込みを必要とせず、前記メイン基板に直接に装着することができる。
【００２５】
以下、本発明の具体的構成を説明する。前記ベース２は、例えば合成樹脂材で底板１ａ及び周縁壁１ｂを有する平面視略長方形状の箱形に形成されている。而して、該ベース２の長手方向の一方の前記周縁壁１ｂには浅い凵字形の切欠部１ｃが設けられており、該切欠部１ｃから該ベース２内に収納されているスライダー４の押圧部４ａが該ベース２外に突出し、そして、該押圧部４ａを押圧すれば、該スライダー４が該ベース２内に押し進められることができるように構成されている。
【００２６】
又、図１に於いて、該ベース２の前記切欠部１ｃの反対側の左側には該ベース２の長手方向に底面を断面半円形状に形成した平面視長方形状の凹部１ｄが設けられ、該凹部１ｄに後述のコイルスプリング５が遊挿される。又、該凹部１ｄの直列位置には第１のスイッチＳＷ１の固定接点が設けられ、そして、之に近接して該第１のスイッチＳＷ１の外部端子ＳＷ１Ｅが該ベース２の周縁壁１ｂに設けられており、更に、前記凹部１ｄとの並列位置に第２のスイッチＳＷ２の固定接点が設けられており、更に、該第２のスイッチＳＷ２の固定接点を囲繞する如く馬蹄形の共通端子片ＣＯＭが設けられている。該共通端子片ＣＯＭは前記第１のスイッチＳＷ１の固定接点の共通端子片を兼ねている。又、前記第２のスイッチＳＷ２の外部端子ＳＷ２Ｅ及び共通端子片ＣＯＭの外部端子ＣＯＭＥがベース２の図１に於いて右側周縁壁１ｂの外側面に設けられている。
【００２７】
又、前記第２の固定接点上には周縁部を前記馬蹄形の共通端子片ＣＯＭに常時接触しているドーム状のクリックバネ６が配設されている。而して、該クリックバネ６は金属板から成り、該クリックバネ６の上面を押圧することにより該クリックバネ６は反転して前記第２のスイッチＳＷ２の固定接点に接触して該第２のスイッチＳＷ２を閉じて該第２のスイッチＳＷ２の作動を可能ならしめる。勿論、該クリックバネ６は前記押圧が解除されたとき、その弾性復元力にて元のドーム状に復帰し、該第２のスイッチＳＷ２の固定接点をオフする。
【００２８】
次に、前記スライダー４について説明する。該スライダー４は前記ベース２の長手方向の左右の周縁壁１ｂの内側面に沿って摺動できるように平面視略長方形状に構成されており、而も、該スライダー４は合成樹脂にて成形され、そして、図５に示すように、該スライダー４の長手方向の前記押圧部４ａ側に近接した下面に、前記第１のスイッチＳＷ１の固定接点及び共通端子片ＣＯＭに接触離脱自在の可動接片７が配設されている。即ち、該可動接片７は図７及び図９（ａ）に示す如く、スライダー４の第１段目の押し込み動作によって、前記第１のスイッチＳＷ１の固定接点及び共通端子片ＣＯＭに接触して第１のスイッチＳＷ１の作動を可能ならしめるのである。
【００２９】
又、該スライダー４は図６に示すように、左側に突部４ｂが設けられ、そして、該突部４ｂは常時前記コイルスプリング５に接触しており、該突部４ｂに接触している該コイルスプリング５によって該スライダー４の押圧部４ａが常時、前記ベース２に設けた切欠部１ｃから外側に突出した状態の基準位置を維持すべく付勢されている。
【００３０】
又、該スライダー４は図６に於いて右側の下方部が切欠されて弾性変形を可能とし中間部に斜め下方向へ向って斜設された斜設部８を有し、一方、該斜設部８と対面する位置であって、且つ、前記カバー３の裏面に下方向に向って斜設された案内片９が該カバー３に設けられており、前記斜設部８は図８及び図９（ｂ）に示す如く、スライダー４の第２段目の押し込み動作によって前記案内片９に沿って斜設部８が曲げられ下降し、そして、該斜設部８の先端部８ａが前記クリックバネ６の頭部を押圧して該クリックバネ６を反転させることにより、前記第２のスイッチＳＷ２の固定接点と共通端子片ＣＯＭとが閉じ、該第２のスイッチＳＷ２の作動を可能ならしめる。勿論、該スライダー４の押圧動作を解除すれば、前記コイルスプリング５の弾性復元力にて該斜設部８が前記案内片９に沿って上昇し乍ら該スライダー４が元の基準位置に復帰することになる。
【００３１】
而して、該スライダー４が元の基準位置に維持されているとき、即ち、該スライダー４の押圧部４ａがベース２の前記切欠部１ｃの外側に突出している部分以外はすべて前記カバー３によって被蔽されており、該カバー３は任意の手段によって該ベース２に止着される。そして、該カバー３とベース２上に配設された第１のスイッチＳＷ１の固定接点及び共通端子片ＣＯＭ並びに第２のスイッチＳＷ２の固定接点、前記コイルスプリング５、前記可動接片７、クリックバネ６、斜設部８並びに案内片９等がすべて前記スライダー４の
押込み動作及び解除動作によって相互に有機的に作用し合って、円滑確実な２段切換えが可能となり、且つ、横方向の操作に基づく２段切換えであるため、前述したような組付け上、及びコスト的でも有利であって、機能面も極めて優れている等、諸種の著大なる効果を奏する。
【００３２】
尚、本発明は、本発明の精神を逸脱しない限り種々の改変を為すことができ、そして、本発明が該改変されたものに及ぶことは当然である。
【図面の簡単な説明】
【００３３】
【図１】本発明の一実施例を示し、２段切換えプッシュスイッチの分解斜視図。
【図２】本発明の２段切換えプッシュスイッチの上面から見た斜視図。
【図３】ベース及びベース上に固定された固定接点等を示す平面図。
【図４】図３のベース上にコイル及びクリックバネが配設された状態を示す平面図。
【図５】図３の状態に於いて、更に、可動接片の配設位置を示す平面図。
【図６】図５の状態の上面にスライダーを配設した状態を示す平面図。
【図７】図６のスライダーを押し込んで第１のスイッチを作動させる状態を示す解説平面図。
【図８】図７の状態から更にスライダーを押し込んで第２のスイッチを作動させる状態を示す解説平面図。
【図９】（ａ）図７のＡ−Ａ線に沿って断面した解説図。（ｂ）図８のＢ−Ｂ線に沿って断面した解説図。
【符号の説明】
【００３４】
１        ２段切換えプッシュスイッチ
２        ベース
３        カバー
４        スライダー
５        コイルスプリング
６        クリックバネ
７        可動接片
８        斜設部
９        案内片
ＳＷ１    第１のスイッチ
ＳＷ２    第２のスイッチ
ＣＯＭ    共通端子片
【図１】
2005222783.tif 000003
【図２】
2005222783.tif 000004
【図３】
2005222783.tif 000005
【図４】
2005222783.tif 000006
【図５】
2005222783.tif 000007
【図６】
2005222783.tif 000008
【図７】
2005222783.tif 000009
【図８】
2005222783.tif 000010
【図９】
2005222783.tif 000011